(57)【特許請求の範囲】
【請求項１】
タイヤであって、カーカス型補強構造体を有し、前記カーカス型補強構造体がビードの各側で繋留された補強要素で形成され、前記ビードのベースがリムシートに取り付けられるようになっており、各ビードの半径方向外方の延長部としてサイドウォールが設けられ、前記サイドウォールがトレッドストリップに半径方向外側に向かって接合され、前記タイヤが前記トレッドストリップの下に補強要素の少なくとも２つの実働クラウン層から成るクラウン補強構造体を有する、タイヤにおいて、前記カーカス型補強構造体は、少なくともショルダから前記ビードまで延びる少なくとも２つの層半部を有し、各層半部は、前記トレッドストリップの下に端を有し、前記トレッドストリップの少なくとも表面は、少なくとも前記層半部の各々の端相互間に延びる第１のポリマーコンパウンドと、前記第１のポリマーコンパウンドの物理化学的性質とは異なる物理化学的性質を有すると共に前記層半部の各々の少なくとも一部を覆っている少なくも第２のポリマーコンパウンドとから成る、タイヤ。
【請求項２】
前記カーカス型補強構造体の前記層半部の各々は、少なくとも１つの実働クラウン層の縁に半径方向に隣接して位置し、前記実働クラウン層の一端と前記実働クラウン層の前記端に半径方向に隣接して位置する前記層半部の前記端との間の軸方向距離は、２０ｍｍを超えている、請求項１記載のタイヤ。
【請求項３】
前記第２のポリマーコンパウンドは、前記第１のポリマーコンパウンドの組成とは異なる組成のものである、請求項１又は２記載のタイヤ。
【請求項４】
前記第２のポリマーコンパウンドは、前記第１のポリマーコンパウンドのグリップ特性よりも優れたグリップ特性を有する、請求項１〜３のうちいずれか一に記載のタイヤ。
【請求項５】
前記第２のポリマーコンパウンドは、前記第１のポリマーコンパウンドのショアーＡスケール硬度とは異なるショアーＡスケール硬度を有する、請求項１〜４のうちいずれか一に記載のタイヤ。
【請求項６】
前記カーカス型補強構造体の前記補強要素は、周方向と６５°〜９０°の角度をなしている、請求項１〜５のうちいずれか一に記載のタイヤ。
【請求項７】
前記クラウン補強構造体は、補強要素の少なくとも２つの実働クラウン層を有し、隣接する実働クラウン層は互いに２０°〜１６０°の角度をなしている、請求項１〜６のうちいずれか一に記載のタイヤ。
【請求項８】
前記クラウン補強構造体は、周方向補強要素の少なくとも１つの層を有する、請求項１〜７のうちいずれか一に記載のタイヤ。
【請求項９】
前記周方向補強要素は、不定ピッチで横方向に分布して配置されている、請求項８記載のタイヤ。
【請求項１０】
前記周方向補強要素相互間のピッチは、前記カーカス型補強構造体の前記層半部の各々の前記端に半径方向に向いた前記周方向補強要素の層の付近で最小値を取る、請求項８又は９記載のタイヤ。
【請求項１１】
電動式二輪車用の請求項１〜１０のうちいずれか一に記載のタイヤの使用。
【発明の詳細な説明】
【技術分野】
【０００１】
本発明は、車両に取り付けられるようになった、特に二輪車、例えばモーターサイクルに取り付けられるようになったタイヤに関する。
【０００２】
本発明は、かかる用途には限定されないが、本発明を特にかかるモーターサイクル又はモーターバイク（オートバイ）用タイヤに関して説明する。
【背景技術】
【０００３】
タイヤ、特にモーターサイクル用のタイヤを補強する補強材は、現時点では―そして大抵の場合―従来「カーカスプライ」、「クラウンプライ」等と呼ばれている１枚又は２枚以上のプライのスタックから成る。補強材をこのように説明する仕方は、要素補強材を備えた、多くの場合、長手方向のプライの形態をした一連の半完成状態の製品を作り、次に、これらを組み立て又は積み重ねてグリーン（生）タイヤを作るという製造方法に由来している。プライを大きな寸法の平板状に作り、次に、所与の製品の寸法に合うよう裁断する。また、最初にプライを実質的に平板状の形状に互いに集成する。次に、このようにして作られたグリーンタイヤをシェーピングして（膨らませて）タイヤについて典型的なドーナツ形状にする。次に、いわゆる「完成途上」の半完成品をグリーンタイヤに張り付けていつでも加硫させることができる製品を得る。
【０００４】
このような「従来」形式の方法では、特にグリーンタイヤを成型する段階の間、カーカス補強材をタイヤのビード領域内に繋留し又は保持するための繋留要素（一般にビードワイヤ）が用いられる。かくして、このような形式の方法では、カーカス補強材（又はその一部だけ）を構成するプライ全体の一部分をタイヤのビード内に位置決めされたビードワイヤ周りに巻く。すると、これにより、カーカス補強材がビード中に繋留される。
【０００５】
この従来形式の方法の業界全体にわたる普及の結果として、プライ及び集成体を形成する仕方に多くのバリエーションが存在しているにもかかわらず、当業者は、この方法で定められている語彙を用いており、それ故、一般に受け入れられている用語として、特に「プライ」、「カーカス」、「ビードワイヤ」、扁平なプロフィールからドーナツ形プロフィールへの進展を意味する「シェーピング」という用語等が挙げられる。
【０００６】
今日、厳密に言えば、上述の定義に一致する「プライ」又は「ビードワイヤ」を備えているとはいえないタイヤが存在する。例えば、欧州特許第０５８２１９６号明細書は、プライの形態の半完成状態の製品を用いないで製造されたタイヤを記載している。例えば、種々の補強構造体の補強要素を隣接のゴムコンパウンド層に直接張り付け、次に、これら全てを連続した層の状態でドーナツ形のフォーマ（型）に張り付け、このドーナツ形フォーマの形状が、成型中のタイヤの最終プロフィールとほぼ同じプロフィールを直接生じさせる。かくして、この場合、「半完成状態の製品」又は「プライ」若しくは「ビードワイヤ」は全く存在しない。基本的製品、例えばゴムコンパウンド及び細線（線材）又はフィラメントの形態をした補強要素は、フォーマに直接張り付けられる。このフォーマの形状は、ドーナツ形のものなので、扁平なプロフィールからドーナツのプロフィールに変えることを目的としてグリーンタイヤをシェーピングすることはもはや不要である。
【０００７】
さらに、この特許文献に記載されたタイヤは、ビードワイヤ周りのカーカスプライの「伝統的な」折り返し方式を用いていない。この種の繋留に代えて、周方向細線がサイドウォール補強構造体に隣接して位置決めされる構造が用いられ、全てのものは、繋留又は結合ゴムコンパウンド中に埋め込まれる。
【０００８】
また、中央フォーマ上への迅速且つ効率的で、しかも簡単な布設向けに特に設計された半完成状態の製品を採用するドーナツ形フォーマへの組み付け方法が存在する。最後に、或る特定のアーキテクチャ上の観点を生じさせるある特定の幾つかの完成状態の製品（例えばプライ、ビードワイヤ等）とコンパウンド及び／又は補強要素を直接張り付けることによって作られた半完成品の両方を有するハイブリッドを用いることも又、可能である。
【０００９】
上記特許文献では、製造分野と製品設計分野の両方における最近の技術進歩を考慮に入れるためには、従来の用語、例えば「プライ」、「ビードワイヤ」等に代えて、中立的な用語又は用いられる方法の形式とは無関係の用語を用いると好都合である。かくして、「カーカス型補強材」又は「サイドウォール補強材」という用語は、従来方法におけるカーカスプライの補強要素及び一般に半完成状態の製品を用いない方法に従って製作されたタイヤのサイドウォールに張り付けられる対応の補強要素を表すのに有効である。「繋留領域」という用語は、その一部について、従来方法におけるビードワイヤ周りへのカーカスプライの「伝統的」折り返し又は巻き上げをまさしく容易に表すことができる。というのは、これは、周方向補強要素、ゴムコンパウンド及びドーナツ形フォーマへの張り付けを含む方法を用いて形成された底部領域の隣接のサイドウォール補強部分により形成された集成体だからである。
【００１０】
タイヤの長手方向又は周方向は、タイヤの周囲に対応すると共にタイヤの回転方向によって定められた方向である。
【００１１】
円周方向平面又は円周方向断面は、タイヤの回転軸線に垂直な平面である。赤道面は、トレッドストリップの中心又はクラウンを通る周方向平面である。
【００１２】
タイヤの横断方向又は軸方向は、タイヤの回転軸線に平行である。
【００１３】
半径方向は、タイヤの回転軸線と交差し且つこれに垂直な方向である。
【００１４】
タイヤの回転軸線は、通常の使用時におけるタイヤの回転の中心である。
【００１５】
半径方向平面又は子午線平面は、タイヤの回転軸線を含む。
【００１６】
他の全てのタイヤの場合と同様、モーターサイクル用タイヤは、ラジアル設計に切り替わりつつあり、かかるタイヤのアーキテクチャは、円周方向と６５°〜９０°の場合のある角度をなす補強要素の１つ又は２つの層で形成されたカーカス補強材を含み、かかるカーカス補強材には、補強要素で形成されているクラウン補強材が半径方向に載っている。しかしながら、数種類の非ラジアルタイヤが依然として存在しており、本発明は、これらにも同じように当てはまる。本発明は又、部分的にラジアルのタイヤ、即ち、カーカス補強材の補強要素がカーカス補強材の少なくとも一部にわたり、例えばタイヤのクラウンに相当する部分についてラジアルであるタイヤに関する。
【００１７】
タイヤがモーターバイクのフロントに取り付けられるようになるかリヤに取り付けられるようになるかに応じて、多くのクラウン補強材アーキテクチャが提案された。第１の構造体は、クラウン補強材の場合、周方向コードだけを用いるものであり、この構造体は、特にリヤタイヤに用いられる。第２の構造体は、自家用車用タイヤに通常用いられている構造体から直接インスピレーションを得たものであり、この第２の構造体は、耐摩耗性を向上させるよう用いられ、かかる構造体は、補強要素の少なくとも２つのクラウン層を用いるものであり、かかる補強要素は、各層内において相互に平行であるが、周方向と鋭角をなした状態で１つの層から次の層にクロス掛けされており、かかるタイヤは、モーターバイクのフロントに最適である。上述の２つの実働クラウン層は、一般に少なくとも１つのゴム被覆補強要素のストリップを螺旋に巻くことによって得られた周方向要素の少なくとも１つの層と関連している場合がある。
【００１８】
タイヤのクラウンアーキテクチャの選択は、或る特定の種類の特性、例えば耐摩耗性、耐久性、グリップ又は運転上の快適さ又は特にモーターサイクルの場合には安定性に直接的な影響を及ぼす。しかしながら、他のタイヤパラメータ、例えばトレッドストリップに用いられるゴムコンパウンドの性状も又、かかるタイヤの特性に影響を及ぼす。トレッドストリップに用いられるゴムコンパウンドの選択及び性状は、例えば、耐摩耗性に関する本質的なパラメータである。トレッドストリップに用いられるゴムコンパウンドの選択及び性状は、タイヤのグリップにも影響を及ぼす。
【先行技術文献】
【特許文献】
【００１９】
【特許文献１】欧州特許第０５８２１９６号明細書
【発明の概要】
【発明が解決しようとする課題】
【００２０】
本発明の目的は、モーターサイクル用タイヤの場合、タイヤの耐摩耗性を向上させると共にタイヤのトレッドのグリップ特性を向上させることができるタイヤを提供することにある。
【課題を解決するための手段】
【００２１】
この目的は、本発明によれば、タイヤであって、カーカス型補強構造体を有し、カーカス型補強構造体がビードの各側で繋留された補強要素で形成され、ビードのベースがリムシート（受座）に取り付けられるようになっており、各ビードの半径方向外方の延長部としてサイドウォールが設けられ、サイドウォールがトレッドストリップに半径方向外側に向かって接合され、タイヤがトレッドストリップの下に補強要素の少なくとも２つの層から成るクラウン補強構造体を有する、タイヤにおいて、カーカス型補強構造体は、少なくともショルダからビードまで延びる少なくとも２つの層半部を有し、各層半部は、トレッドストリップの下に端を有し、トレッドストリップの少なくとも表面は、少なくとも層半部の各々の端相互間に延びる第１のポリマーコンパウンドと、第１のポリマーコンパウンドの物理化学的性質とは異なる物理化学的性質を有すると共に層半部の各々の少なくとも一部を覆っている少なくも第２のポリマーコンパウンドとから成ることを特徴とするタイヤを用いて達成される。
【００２２】
かくして、本発明は、従来型タイヤと比較すると、トレッドストリップの下に位置するタイヤの領域の少なくとも一部分に位置するカーカス構造体を省くことを提案している。かかるカーカス構造体は、例えば、欧州特許出願公開第０８４４１０６（Ａ）号明細書の教示に従って形成されるのが良い。
【００２３】
本発明の好ましい一実施形態によれば、カーカス型補強構造体の層半部の各々は、少なくとも１つの実働クラウン層の縁に半径方向に隣接して位置し、実働クラウン層の一端と実働クラウン層の端に半径方向に隣接して位置する層半部の端との間の軸方向距離は、２０ｍｍを超えている。
【００２４】
本発明のかかる実施形態は、カーカス型補強構造体の層半部に隣接して位置する少なくとも１つの実働クラウン層によって軸方向における最適な荷重反作用を提供する。
【００２５】
また、好ましくは、カーカス型補強構造体の層半部の端相互間の距離を最適化するために、この距離は、カーカス型補強構造体の層半部に隣接して位置する実働クラウン層の幅から４０ｍｍを差し引いた長さに等しい。
【００２６】
さらに、本発明によれば、カーカスが途切れている領域の半径方向外側に位置する少なくともトレッドストリップの領域の少なくとも表面は、トレッドストリップの表面の残部の物理化学的性質とは異なる物理化学的性質を有する第１のポリマーコンパウンドから成る。
【００２７】
したがって、本発明のタイヤのトレッドストリップは、少なくとも、第１のポリマーコンパウンドから成る中央周方向ストリップ又は部分及び別のポリマーコンパウンドの少なくとも２つの側方ストリップ又は部分の表面で構成される。側方ストリップは、有利には、対称であるタイヤを作るために互いに同一であるが、或る特定の実施形態では、互いに異なるコンパウンドから成っていても良い。
【００２８】
本発明の有利な一実施形態によれば、タイヤに対称である特性を与えるため、中央周方向ストリップは、有利には、その中心が赤道面上に位置する。例えば、全てが本質的に同一方向であるコーナ部を有するサーキット上で駆動されるべきタイヤ用の他の実施形態によれば、中央周方向ストリップは、その中心が赤道面上に位置しなくても良い。
【００２９】
本発明の有利な変形実施形態では、トレッドストリップの少なくとも表面を形成し、かくして赤道面からショルダに向かってトレッドストリップの特性の漸進的変化を与えるために５つ又は６つ以上の周方向ストリップが設けられても良い。従前通り、かかる実施形態は、赤道面に関して対称であっても良く、そうでなくても良く、ストリップの分布状態は、これらの組成の面か赤道面に関するこれらの分布状態の面かのいずれかにおいて異なっている。
【００３０】
本発明の有利な一変形実施形態では、トレッドストリップの少なくとも表面を形成する少なくとも５つの周方向ストリップが設けられている場合、これら周方向ストリップは、半径方向外側の周方向ストリップ及びカーカス構造体を形成する層半部の端に向いた周方向ストリップの特性が他の周方向ストリップの特性とは異なるように分布して配置され、その結果、変化は、クラウンからショルダまで緩やかではないようになる。換言すると、半径方向外側の周方向ストリップ及び層半部の端に向いた周方向ストリップは、例えば、トレッドストリップの軸方向外側部分及び中央部分を覆っている他の周方向ストリップの特性よりも優れている又は劣っている特性を有する。
【００３１】
本発明の好ましい実施形態によれば、第２のポリマーコンパウンドは、第１のポリマーコンパウンドの組成とは異なる組成のものであり、より好ましくは、第２のポリマーコンパウンドは、第１のポリマーコンパウンドのグリップ特性よりも優れたグリップ特性を有する。
【００３２】
他の実施形態によれば、同一のコンパウンドを用いるが、異なる加硫条件を用いることにより異なる特性を得ることができる。
【００３３】
また、有利には、第１及び第２のポリマーコンパウンドの半径方向厚さは、トレッドストリップの耐摩耗性を最適化するよう軸方向に異なっているのが良い。また、有利には、厚さは、次第に変化する。
【００３４】
本発明によれば、第２のポリマーコンパウンドは、第１のポリマーコンパウンドのショアーＡスケール硬度とは異なるショアーＡスケール硬度を有する。
【００３５】
硬化後におけるポリマーコンパウンドのショアーＡスケール硬度は、規格ASTM D 2240-86に従って評価される。
【００３６】
第２のポリマーコンパウンドの他の特性は、様々であって良い。例えばこれら特性としては、機能的及び／又は審美的効果を提供することができる色が挙げられる。
【００３７】
このように本発明に従って製造されたタイヤにより、タイヤのクラウンにカーカス補強構造体が設けられていないこと及びトレッドストリップを構成するポリマーコンパウンドに関してなされる選択に鑑みて特に耐摩耗性及びトルク伝達の面における性能を向上させることができ、具体的に説明すると、タイヤのクラウンにカーカス補強要素が設けられていないこと及びトレッドストリップの性状により、耐摩耗性及びトルク伝達の面で都合の良いタイヤの良好な扁平化が可能になる。さらに、トレッドストリップを構成するために用いられるポリマーコンパウンドの選択により、行なわれる選択に応じて、タイヤが急峻なキャンバ角で用いられている場合に特にコーナリング下においてグリップ面での性能を向上させることができる。
【００３８】
本発明の好ましい実施形態によれば、カーカス型補強構造体の補強要素は、周方向とは６５°〜９０°の角度をなす。
【００３９】
本発明の変形形態によれば、クラウン補強構造体は、補強要素の少なくとも２つの層を有し、上記部分は、１つの層から次の層に互いに２０°〜１６０°の角度、好ましくは４０°を超える角度をなす。
【００４０】
本発明のこの変形形態の好ましい実施形態によれば、実働層の補強要素は、少なくともトレッドストリップの中央領域では、長手方向となす角度が互いに同一であり、これら角度は、周方向平面がどこに位置するにせよ、周方向平面との交点のところで測定される。換言すると、所与の周方向断面平面の場合、補強要素は、全て、周方向断面平面との交点のところでは長手方向と同一の角度をなす。さらに、上述の角度は、考慮される周方向断面平面に従って様々な場合がある。
【００４１】
また、好ましくは、本発明のこの変形形態によれば、１つの実働層の補強要素は、少なくともトレッドストリップの中央領域では、あらゆる周方向平面において互いに等距離を置いて位置し、隣り合う補強要素を隔てる距離は、その部分に関して、考慮対象の周方向断面平面に従って変化することができ、具体的に言えば、隣り合う補強要素相互間の距離は、軸方向に変化することが可能である。
【００４２】
本発明の実施形態の別の変形形態では、少なくとも１つの実働層は、少なくとも部分的に、カーカス型補強構造体の半径方向内側に作られる。
【００４３】
本発明の第１の実施形態によれば、実働層は全て、少なくとも１つのカーカス構造体の半径方向内側、即ち、少なくとも１つのカーカス層の内側に作られる。かくして、少なくとも１つのカーカス型補強構造体は、クラウン補強構造体全体を半径方向に覆う。
【００４４】
本発明の第２の好ましい実施形態によれば、クラウン補強構造体の実働補強要素の少なくとも１つの層がカーカス型補強構造体の半径方向外側に作られる。本発明のこの第２の実施形態によれば、実働補強要素の層は、カーカス及びクラウン補強構造体の他の層を潜在的な機械的攻撃から保護する機能を実行する。加うるに、この場合、軸方向における荷重反作用がカーカス型補強構造体の２つの層半部に隣接して位置する２つの実働クラウン層により得られる。
【００４５】
特にクラウン補強構造体の少なくとも一部分がカーカス構造体の半径方向内側に作られる場合、本発明のタイヤは、有利には、ハードコア又は剛性フォーマを用いる形式の製造技術を利用して製造される。
【００４６】
本発明の実施形態の変形形態によれば、実働補強要素の少なくとも１つの層は、少なくとも１本の連続補強細線で構成され、この補強細線は、かかる実働補強要素の層の中央領域において、長手方向と同一の角度をなす部分を形成し、かかる角度は、周方向平面との交点のところで測定され、２つの隣り合う部分は、ループにより互いに連結され、これら部分は、長手方向と１０°〜８０°の角度、好ましくは２０°を超える角度をなす。
【００４７】
「細線」という用語は、極めて一般的に、モノフィラメントとマルチフィラメント繊維（場合によっては、それ自体撚り合わせられる）の両方又は例えばテキスタイル又は金属コード、もろより糸のような集成体又は変形例として任意形式の同等な集成体、例えばハイブリッドコードを意味しており、このことは、これら細線の１種類若しくは複数種類の材料又は潜在的処理、例えばゴム又は任意他の材料への密着性を促進する表面処理若しくは被覆又はプレコーティングの有無の如何にかかわらずそうである。
【００４８】
本発明のこの有利な変形形態によれば、実働層は、少なくとも１本の細線で作られ、その自由端部は、かかる実働層の縁部のところには存在していない。好ましくは、この実働層は、単一の細線を用いて作られ、この層は、「単一細線」型のものである。しかしながら、かかる層の工業的生産により、特にリールの変化の結果として不連続部が生じる。さらに、本発明の好ましい実施形態では、実働層にちょうど１本又は少数本の細線が用いられ、細線の開始部及び終了部は、かかる実働層の中央領域に位置決めされる必要がある。
【００４９】
このようにして製造された本発明のタイヤは、実働層の軸方向外縁部のところに補強要素の自由端部を備えていない補強構造体を有する。
【００５０】
実施した研究結果の示すところによれば、特に、長手方向に対して角度をなして設定された補強要素の伝統的な層の存在により、局所的剛性、周方向剛性及び剪断剛性が生じ、これら剛性は、補強要素層の縁に近づくにつれて減少し、補強要素の端部のところの張力は、ゼロである。補強要素の局部張力がゼロであると、その結果として、この領域における補強要素の有効性が低下する。この場合、これら層の縁部の剛性は、タイヤがコーナリングの際に急なキャンバ角で用いられると、特に高く、この場合、これら領域に対応したタイヤの部分は、路面に向いている。
【００５１】
モーターサイクル用タイヤの製造にあたり、タイヤが種々のキャンバ角で用いられる場合、曲率の値が高くなる。かくして、本発明のこの変形形態に従って製造され、実働層の軸方向外縁部の付近に補強要素の自由端部を備えていない補強構造体を有するタイヤにより、特に、タイヤのグリップ及びトラクションを急なキャンバ角で使用可能に向上させることができる。
【００５２】
かかるタイヤは、有利には、ハードフォーマ又はドーナツ形フォーマを用いる形式の技術を用いて製造され、それにより、特に、補強要素を最終近くの位置に布設することができ、具体的に言えば、この種の方法ではシェーピングステップが不要になり、このことは、補強要素がこれらをいったん布設すると、もはやずらされることがないということを意味している。
【００５３】
本発明の有利な一実施形態では、特に、タイヤの子午線平面に沿う、特に、実働層の縁部のところの補強構造体の剛性を一段と最適化する目的で、実働層中の細線の上述の部分と長手方向とのなす角度は、これら角度が、タイヤの赤道面のところで測定された上述の部分の角度を比較して、補強要素の層の軸方向外縁部上で大きいように横方向に変化しているのが良い。
【００５４】
ハードフォーマを用いた形式の技術の利用により、特に、補強要素をシェーピングステップの必要なく、最終に近い位置に布設することができ、このことは、もう１つの利点を有する。具体的に言えば、特に、ハードフォーマの技術により、簡単な仕方で達成されるべきシェーピングステップを含む方法を用いて達成可能な角度の著しく大きな変化が可能になる。さらに、上述の角度の変化により（かかる角度は、実働層の縁部のところでは９０°に向かう傾向がある）、ピッチの増大をもたらすと共に嵩が減少するのでループの形成が促進される。
【００５５】
実働層中の細線の上述の部分と長手方向とのなす角度が横方向に変化することができる本発明の変形形態の第１の実施形態では、上述の部分の角度をタイヤの赤道面から実働層の縁部まで単調に変化させる。
【００５６】
これら変形形態の第２の実施形態では、角度をタイヤの赤道面から実働層の縁部まで段階的に変化させる。
【００５７】
これら変形形態の最後の実施形態では、所与の値が所与の軸方向に位置について得られるような仕方で角度を漸変させることができる。
【００５８】
本発明の変形形態のこれら種々の実施形態では、実働層の細線の上述の部分と長手方向とのなす角度は、横方向に変化するのが良く、換言すると、タイヤのクラウンの付近、即ち、赤道面の横に位置する領域にタイトな、即ち小さな角度が存在することによりクラウン補強構造体の良好な周方向剛性を得ることができるようにする。さらに、他方において、タイヤのグリップ、トラクション、快適さ又は動作温度を改善するために、実働層の縁部に、より正確に言えば、タイヤのショルダのところに開いた角度、即ち、４５°に向かう傾向のある角度又は場合によってはこれを超えて９０°に向かう角度の存在を得ることができ、具体的に言えば、角度のかかる変化により、実働層の剪断剛性を調節することができる。
【００５９】
本発明の好ましい一実施形態によれば、実働層の補強要素は、テキスタイル材料で作られる。
【００６０】
本発明の別の実施形態によれば、実働層中の補強要素は、金属で作られる。
【００６１】
本発明の好ましい実施形態によれば、タイヤは、特に、周方向補強要素の少なくとも１つの層を更に有するクラウン補強構造体から成り、本発明によれば、周方向補強要素の層は、長手方向と５°未満の角度をなして差し向けられた少なくとも１つの補強要素から成る。
【００６２】
周方向補強要素の層が設けられることは、モーターサイクルのリヤで用いられるようになったタイヤを作る上で特に好ましい。
【００６３】
本発明の有利な一実施形態では、周方向補強要素の層は、少なくとも部分的に、実働層の半径方向外側に位置決めされる。周方向補強要素の層が２つの実働層の半径方向外側に作られると共にトレッドストリップの真下に配置される場合、かかる周方向補強要素層は、特に、高速安定性の向上に寄与することができる。
【００６４】
かくして、周方向補強要素の層は、その主要な機能の実行に加えて、カーカス及びクラウン補強構造体の他の層を潜在的な機械的攻撃から保護する層を形成するためにトレッドストリップの真下に作られるのが良い。
【００６５】
周方向補強要素の層は又、特に経済的な理由で実働層相互間に作られても良く、その理由は、これにより、必要とされる材料の量及び布設時間が短縮されるからである。
【００６６】
本発明の有利な別の実施形態では、周方向補強要素の層は、少なくとも部分的に、半径方向最も内側の実働層の半径方向内側に位置決めされる。この実施形態では、周方向補強要素の層は、実働層の半径方向内側に作られ、特に、この周方向補強要素の層により、タイヤのグリップ及びトラクションを更に一層向上させることができる。
【００６７】
本発明の別の変形実施形態では、周方向補強要素の少なくとも１つの層は、少なくとも部分的にカーカス型補強構造体の半径方向内側に位置決めされる。この変形実施形態は又、実働層に関して上述した種々の位置決め状態に戻ることができる。かくして、カーカスは、クラウン補強構造体全体を覆うことができる。好ましくは、本発明によれば、少なくとも１つのクラウン補強層は、カーカスを保護するためにカーカスとトレッドストリップとの間に配置される。
【００６８】
上述したように、特にクラウン補強構造体の少なくとも一部分がカーカス構造体の半径方向内側に作られる場合、本発明のタイヤは、有利には、ハードコア又は剛性フォーマを用いる形式の製造技術を利用して製造されることは注目されるべきである。
【００６９】
また、好ましくは、周方向補強要素の層に属する補強要素は、金属及び／又はテキスタイル及び／又はガラスで作られる。特に、本発明により、周方向補強要素の単一層内に性状が互いに異なる補強要素を用いることができる。
【００７０】
また、好ましくは、周方向補強要素の層に属する補強要素は、６０００Ｎ／ｍｍ2を超える弾性率を有する。
【００７１】
本発明の有利な変形形態では、周方向補強要素の１つの層は、タイヤ中の互いに異なる半径方向位置又は互いに異なる高さ位置に位置決めされた数個の部分の状態で作られるのが良い。かかるタイヤは、特に、タイヤの中央部分の他の補強要素の半径方向外側に位置し、即ち、トレッドストリップの中央部分の下に位置した周方向補強要素の層の一部分を有するのが良い。この場合、周方向補強要素の層のこの一部分は、特に、最も露出された部分であると考えられるカーカスに対してトレッドストリップの中央部分で生じる場合のある潜在的な攻撃からの保護を与える。周方向補強要素の層の側方部分は、特に、周方向補強要素のかかる層を製作するのに要する補強要素の量及び時間を短縮する目的で、周方向補強要素のこの層の中央部分とは独立して、あらゆる高さ位置に、即ち、実働層の半径方向内側かこれら実働層相互間かのいずれかに位置決めされるのが良く、或いは、変形例として、カーカス層の半径方向内側に位置決めされても良い。さらに、本発明では、互いに異なる半径方向位置に配置された数個の部分の状態で作られる周方向補強要素の層の場合、これら種々の部分の分布状態は、タイヤのクラウンの中心を通る赤道面又は周方向平面に関して対称ではない。かかる非対称分布状態は、更に、周方向補強要素の種々の構成材料の選択と関連している場合がある。
【００７２】
数個の部分に分けられる周方向補強要素の層のこの種の実施形態によれば、本発明は、有利には、これら部分の軸方向端部が互いにオーバーラップすることを想定している。
【００７３】
本発明の変形実施形態では、有利には、周方向補強要素は、不定ピッチで横方向に分布して配置される。
【００７４】
本発明のこの変形実施形態の第１の実施例によれば、トレッドストリップの中央（クラウン）のピッチは、上述の層の縁のところのピッチよりも小さい。本発明のかかる実施例では、特に、タイヤの中央領域において大きな外部からの攻撃に対する耐性が促進される。
【００７５】
本発明のこの変形実施形態の第２の実施例によれば、トレッドストリップの中央（クラウン）のところのピッチは、上述の層の縁のところのピッチよりも大きい。本発明のかかる実施例では、特に、急峻なキャンバ角でのタイヤの扁平化が促進される。
【００７６】
本発明の好ましい実施形態によれば、横方向におけるピッチの値は、上述の層の軸方向幅の少なくとも一部分にわたりこの層の縁まで数列をなす。かかる実施形態によれば、この層の周方向補強要素相互間のピッチは、有利には、トレッドのクラウンを覆っている領域では一定である。
【００７７】
第１の実施形態によれば、ピッチの値は、Ｕ（ｎ）＝Ｕｏ＋ｎｒという形式の等差数列の級数をなし、この式においてＵｏは、０．４ｍｍ〜２．５ｍｍであり、ｒは、この数列の公差であり、０．００１〜０．１である。
【００７８】
第２の実施形態によれば、ピッチの値は、Ｕ（ｎ）＝Ｕｏ×ｒｎという形式の等比数列の級数をなし、この式において、Ｕｏは、０．４ｍｍ〜２．５ｍｍであり、ｒは、この数列の公差であり、１．００１〜１．０２５である。
【００７９】
本発明の他の実施形態によれば、ピッチの値は、上述の層中の軸方向位置に応じて幾つかの数列の組み合わせであって良い。
【００８０】
周方向補強要素相互間のピッチの変化は、横方向における単位長さ当たりの周方向補強要素の本数の変化及びかくして横方向における周方向補強要素の密度の変化及びかくして横方向における周方向剛性の変化という形を取る。
【００８１】
本発明の特に有利な一実施形態によれば、周方向補強要素相互間のピッチは、カーカス型補強構造体の層半部の各々の端に半径方向に向いた周方向補強要素の層の付近で最小値を取る。換言すると、周方向補強要素の密度は、カーカス型補強構造体の層半部の端に向いたところで最大であり、したがって、周方向補強要素の密度は、周方向補強要素の上述の層の一端からカーカス型補強構造体の層半部の一端に向いた領域まで増大し、次に、この領域からタイヤのクラウンまで減少する。
【００８２】
本発明のそれ以上の細部及び利点は、図１〜図３を参照して行なわれる本発明の例示の実施形態についての説明から以下において明らかになろう。
【図面の簡単な説明】
【００８３】
【図１】本発明の第１の実施形態としてのタイヤの構成の子午線図である。
【図２】本発明の第２の実施形態としてのタイヤの構成の子午線図である。
【図３】本発明の第３の実施形態としてのタイヤの構成の子午線図である。
【発明を実施するための形態】
【００８４】
理解を容易にするために、図１〜図３は、縮尺通りには描かれていない。
【００８５】
図１は、テキスタイル型の補強要素を有する層２から成っているカーカス補強材を有するタイヤ１を示している。層２は、半径方向に配置された補強要素から成っている。補強要素の半径方向位置決めは、これら補強要素の布設角度で定められ、半径方向配置状態は、長手方向に対して６５°〜９０°の角度をなして布設されている補強要素に対応している。層２は、カーカス補強材なしでタイヤ１の周方向領域を形成する２つの層半部２ａ，２ｂから成り、この周方向領域は、層半部２ａ，２ｂの端９ａ，９ｂにより軸方向に画定されている。
【００８６】
層半部２ａ，２ｂの各々は、タイヤ１の各側でビード３内に繋留されており、このビードのベースは、リムシートに取り付けられるようになっている。各ビード３の半径方向外方の延長部として、サイドウォール４が設けられ、サイドウォール４は、半径方向外方に向かってトレッドストリップ５と合体している。このように構成されたタイヤ１は、曲率の値が０．１５を超え、好ましくは０．３を超える。この曲率の値は、比Ｈｔ／Ｗｔ、即ち、タイヤのトレッドストリップの高さとトレッドストリップの最大幅の比で決まる。曲率の値は、モーターサイクルのフロント（前輪）に装着されるようになったタイヤについては有利には０．２５〜０．５であり、リヤ（後輪）に取り付けられるようになったタイヤについては有利には０．２〜０．５である。
【００８７】
タイヤ１は、周方向と角度をなす補強要素の２つの層７，８から成るクラウン補強材６を更に有し、補強要素は、１つの層から次の層にクロス掛けされ、赤道面の付近ではこれら補強要素相互は５０°の角度をなし、層７，８の各々の補強要素は、周方向と２５°の角度をなしている。
【００８８】
２つの層７，８の補強要素は、テキスタイル材料（繊維材料）、特にアラミドで作られている。
【００８９】
トレッドストリップ５は、本発明によれば、その中央部分に位置する第１のゴムコンパウンド５１及び側方部分に位置する第２のゴムコンパウンド５２から成っている。トレッドストリップ５を形成する部分５１，５２相互間の接合は、有利には、面取りインターフェイスにより次第に達成され、面取りの角度は、タイヤ１のトレッドストリップ５の外面に対して２０°〜６０°である。
【００９０】
ゴムコンパウンド５２は、有利には、そのグリップ特性がゴムコンパウンド５１のグリップ特性よりも優れているように選択され、ゴムコンパウンド５１は、その耐摩耗性について特に選択される。トレッドストリップをこのように作ると、ちょうど１種類のゴムコンパウンドで達成できる耐摩耗性とグリップとの妥協点よりも良好な耐摩耗性とグリップとの妥協点を見出すことができる。
【００９１】
タイヤ１に従って行なわれる２つの層半部から成るカーカス構造体と数種類のコンパウンドから成るトレッドストリップの組み合わせにより、タイヤがモーターバイクに取り付けられたときに、グリップ及びトルク伝達の面における性能を向上させることができる。
【００９２】
図２は、図１のタイヤとほぼ同じであるが、これとは、周方向補強要素２１０の層がクラウン補強材２６の層２７，２８の半径方向外側に設けられていることにおいて異なるタイヤ２１を示している。周方向補強要素２１０の層は、かくして、クラウン補強材の半径方向最も外側の部分であり、２つの実働層２７，２８は、カーカス層２２と周方向補強要素２１０の層との間に介在して位置する。周方向補強要素２１０の層は、有利には、周方向と実質的に０°に等しい角度をなすよう巻かれた単一の細線から成る。変形例として、周方向補強要素の層は、数本の裸の細線又はストリップの形態をした細線をゴム中に埋め込んだときにこれらを同時に巻回することによって作られても良い。
【００９３】
周方向補強要素の層２１０は、アラミド１６７／３型のテキスタイル補強材から成る。
【００９４】
図１の場合と同様、実働層２７，２８は、テキスタイル補強材から成っている。
【００９５】
上述した本発明の変形例のうちの１つによれば、周方向補強要素２１０は、２つの周方向補強要素相互間のピッチが軸方向に変化するよう巻かれている。より正確にいえば、図２のこの構成の場合、布設ピッチのこの変化により、周方向補強要素の密度の変化が生じ、この変化は、密度が層半部２２ａ，２２ｂの各々の端２９ａ，２９ｂに向いた領域で高いようなものである。したがって、周方向補強要素の密度は、先ず最初に、細線密度が８５本／ｄｍのこれら領域から密度が６０本／ｄｍのタイヤの中央部分に向かって減少し、第２に、これら領域から細線密度が７０本／ｄｍの周方向補強要素２１０の層の側方部分に向かって減少する。
【００９６】
タイヤ中に周方向補強要素の層が設けられていることにより、特に、耐久性の面における性能を一段と向上させることができる。図２の記載内容による不定ピッチ分布状態により、タイヤの扁平化、耐摩耗性及び高速時性能相互間の妥協点を最適化することを目的として、タイヤのクラウン補強材の周方向剛性を調節することができる。
【００９７】
図３は、図１のタイヤとほぼ同じであるが、これとは、５つの周方向バンドを形成する３種類のゴムコンパウンド３５１，３５２，３５３で構成されたトレッドストリップが設けられている点において異なるタイヤ３１を示している。
【００９８】
本発明のかかる実施形態によれば、ゴムコンパウンド３５１，３５２，３５３は、互いに異なる物理化学的性質を有している。第１の形式の実施形態によれば、これらゴムコンパウンドは、タイヤ３１のクラウンからショルダまで物理化学的性質が次第に変化するよう構成されている。別の実施形態によれば、ゴムコンパウンド３５２は、他のゴムコンパウンド３５１，３５３の物理化学的性質よりも優れた物理化学的性質、例えばその硬度を有し、他のコンパウンド３５１，３５３は、互いに同一である場合があり又は同一ではない場合がある。
【００９９】
層半部３２ａ，３２ｂの端３９ａ，３９ｂに向かって硬度が高くなることにより、カーカス補強層に向いた接触パッチの部分とクラウン補強材から成る補強層にのみ向いた接触パッチの部分との間の移行が可能である。
【０１００】
本発明は、上述の実施形態についての説明に限定されるものと解されてはならない。特に、本発明では、図２及び図３に示された本発明の種々の実施形態の組み合わせが可能である。
【０１０１】
本発明は、上述の実施例についての説明に限定されるものと介されてはならない。本発明は、特に、例えば周方向と角度をなす補強要素の３つ又は４つ以上の実働層を有するより複雑なクラウン補強材を有する場合のあるタイヤを含む。
【０１０２】
本発明は又、上述のクラウン補強材の種々の形式及び特に国際公開第２００４／０１８２３６号パンフレット、同第２００４／０１８２３７号パンフレット、同第２００５／０７０７０４号パンフレット、同第２００５／０７０７０６号パンフレットに記載されている形式に利用され、これら特許文献は、特に、クラウン補強材を構成する層の相互の種々の半径方向位置及びカーカス構造体に対するこれらの半径方向位置及び更にループによって連結された部分を構成する細線で作られた層の構成又はこれら部分が軸方向となす様々な角度を示している。
【図１】
0005624554.tif 000002
【図２】
0005624554.tif 000003
【図３】
0005624554.tif 000004